(57)【要約】【課題】  骨壷を置きやすく棚部を移動できる構造であるにも関わらず、構造が簡単であり、しかも一族が何代にも渡って長期間不都合なく使用できる墓を提供することにある。【解決手段】  骨壷を納める納骨室を内部に有する納骨堂と、納骨室に納めた骨壷載置台とを備えており、納骨堂は、納骨室を囲む側壁と、各側壁の下端部に当接して納骨室の下方を塞ぐ根太石とからなり、正面側には、納骨室の内外を連通する開口部を有し、根太石は、上端面を略水平面に形成してあり、骨壷載置台は、骨壷を載せる棚部と、棚部の側面側の一方または両方の端部から垂下する脚部とからなり、脚部の下端面には、根太石の上端面に接地する滑車を取り付けてあり、棚部および脚部の側面側端面は、側面側に配する側壁の内壁面と僅かに間隔を設けた位置で対峙しており、この内壁面の案内により、骨壷載置台は、納骨室の開口部側と奥側との間を移動自在に形成してあることを特徴とするものである。【選択図】      図１
2008223241.tif 000002
【特許請求の範囲】
【請求項１】
骨壷（１２，１２ａ）を納める納骨室（２）を内部に有する納骨堂（１）と、納骨室（２）に設けた骨壷載置台（３）とを備えており、
納骨堂（１）は、納骨室（２）の正面側、両側面側、背面側の四方を囲む側壁（４ａ，４ｂ，４ｃ，４ｄ）と、各側壁（４ａ，４ｂ，４ｃ，４ｄ）の上端部に当接して納骨室（２）の上方を塞ぐ蓋石（５）と、各側壁（４ａ，４ｂ，４ｃ，４ｄ）の下端部に当接して納骨室（２）の下方を塞ぐ根太石（６）とからなり、正面側に配する側壁（４ａ）には、納骨室（２）の内外を連通する開口部（７）を有し、開口部（７）は、納骨室（２）を開放または閉鎖する開閉扉（８ａ，８ｂ）を有しており、根太石（６）は、上端面（Ｙ）を略水平面に形成してあり、
骨壷載置台（３）は、骨壷（１２，１２ａ）を載せる棚部（９）と、棚部（９）の側面側の一方または両方の端部から垂下する脚部（１０ａ，１０ｂ、２４）とからなり、脚部（１０ａ，１０ｂ，２４）の下端面には、根太石（６）の上端面（Ｙ）に接地する滑車（１１）を取り付けてあり、
棚部（９）および脚部（１０ａ，１０ｂ，２４）の側面側端面（２２ａ，２２ｂ，２３ａ，２３ｂ，２５ａ，２５ｂ）は、側面側に配する側壁（４ｃ，４ｄ）の内壁面（Ｗａ，Ｗｂ）と僅かに間隔を設けた位置で対峙しており、この内壁面（Ｗａ，Ｗｂ）の案内により、骨壷載置台（３）は、納骨室（２）の開口部（７）側と奥（Ｄ）側との間を移動自在に形成してあることを特徴とする墓。
【請求項２】
棚部（９）および脚部（１０ａ，１０ｂ，２４）の側面側端面（２２ａ，２２ｂ，２３ａ，２３ｂ，２５ａ，２５ｂ）、あるいは、側面側に配する側壁（４ｃ，４ｄ）の内壁面（Ｗａ，Ｗｂ）のいずれかの箇所には、ガイドローラー（２６ａ，２６ｂ，２６ｃ，２６ｄ）を設けてあることを特徴とする請求項１記載の墓。
【請求項３】
棚部（９）と脚部（１０ａ，１０ｂ，２４）により囲まれた領域（Ｒ）は、骨壷（１２，１２ａ）の幅寸法および高さ寸法よりも広く形成してあることを特徴とする請求項１又は２記載の墓。
【発明の詳細な説明】
【技術分野】
【０００１】
本発明は、納骨に係る部位に特徴を有する墓に関するものである。
【背景技術】
【０００２】
墓は一般に、故人の名等を刻む墓碑と、骨壷を納めるための納骨堂などからなっている。骨壷は、納骨堂の中に設置した棚板の上に置かれるものであり、通常、納骨堂の正面に設けてある開閉扉を開けて遺族が納骨堂の中に入って、骨壷を置いていくものであった。ところが、納骨堂の中に遺族が入るときには、身体を屈めて納骨室に入らなければならないため、近年では棚板を開閉扉の近くまで移動し、遺族の手元で骨壷を置ける構成のものが登場している。
【特許文献１】実開平６−４７５３２
【特許文献２】特開平１０−８８８６４
【発明の開示】
【発明が解決しようとする課題】
【０００３】
納骨堂の中で棚板を移動する構造のものとしては、具体的に、実開平６−４７５３２号の墓のように、納骨堂の内部の納骨室の中間位置に設けたガイド部の上に、骨壷を置くための棚板を前後摺動自在に備えたものや、あるいは、特開平１０−８８８６４号のように、納骨堂の中に垂直な軸体を設け、この軸体が垂直軸回転する多段の棚板を有するもの等、種々のものがある。ところが前述したような棚板が移動する構造の墓のほとんどは、納骨堂の側にて棚板の移動を案内するための特別なガイド手段を設けなければならず、従って、墓の構造がどうしても複雑になってしまうため、製造コストや販売価格の増大を招く上、ガイドに係る箇所の短期的なメンテナンスを要することになる。このことから、納骨時の利便性の向上が図れるメリットを有する一方で、一族が何代にも渡って長期的に使用する墓の使用にはそぐわない問題点もあった。
【０００４】
本発明は以上に述べたような実情に鑑み、骨壷を置きやすく棚部を移動できる構造であるにも関わらず、構造が簡単であり、しかも一族が何代にも渡って長期間不都合なく使用できる墓を提供することにある。
【課題を解決するための手段】
【０００５】
本発明のうち請求項１記載の発明は、骨壷を納める納骨室を内部に有する納骨堂と、納骨室に納めた骨壷載置台とを備えており、納骨堂は、納骨室の正面側、両側面側、背面側の四方を囲む側壁と、各側壁の下端部に当接して納骨室の下方を塞ぐ根太石とからなり、正面側に配する側壁には、納骨室の内外を連通する開口部を有し、開口部は、納骨室を開放または閉鎖する開閉扉を有しており、根太石は、上端面を略水平面に形成してあり、骨壷載置台は、骨壷を載せる棚部と、棚部の側面側の一方または両方の端部から垂下する脚部とからなり、脚部の下端面には、根太石の上端面に接地する滑車を取り付けてあり、棚部および脚部の側面側端面は、側面側に配する側壁の内壁面と僅かに間隔を設けた位置で対峙しており、この内壁面の案内により、骨壷載置台は、納骨室の開口部側と奥側との間を移動自在に形成してあることを特徴とする。
【０００６】
本発明のうち請求項２記載の発明は、棚部および脚部の側面側端面、あるいは、側面側に配する側壁の内壁面のいずれかの箇所には、ガイドローラーを設けてあることを特徴とする。
【０００７】
本発明のうち請求項３記載の発明は、棚部と脚部により囲まれた領域は、骨壷の幅寸法および高さ寸法よりも広く形成してあることを特徴とする。
【発明の効果】
【０００８】
本発明のうち請求項１記載の発明によれば、脚部の下端部に滑車を有しており、この滑車が根太石の上端面に接地していることで、骨壷載置台が納骨室の床面を走行する。さらに骨壷載置台は、両側面側に配した側壁の内壁面の案内により、略一定した方向に姿勢を保ちながら納骨堂の開口部の手前側と奥側とを自在に移動できる。従って、納骨堂側には骨壷を載せる部位に対し、移動させるための特別な加工を施す必要がなく、墓の構造が簡単なものとなる。これにより万一、骨壷載置台の移動に不都合が生じた場合には、骨壷載置台のみを取り出して修理すればよいので、墓のメンテナンスが容易になるとともに、墓の構造が簡易であることから、既存するこの種の墓と比較して製造コストも抑えられる。
【０００９】
本発明のうち請求項２記載の発明によれば、棚部および脚部の側面側端面と側面側に配する側壁の内壁面との間に、ガイドローラーが当接することで、骨壷載置台が納骨室の中をスムーズに移動することになる。
【００１０】
本発明のうち請求項３記載の発明によれば、棚板が骨壷よりも高い位置を通過することにより、骨壷載置台の移動に影響されることがない。さらに脚部に下駄石を有するものであれば、棚部と脚部とに囲まれた領域に骨壷を置けるため、納骨室にて骨壷を効率的に収容することができる。
【発明を実施するための最良の形態】
【００１１】
以下、本発明の墓の実施形態を図面に基づいて説明する。
図１（ａ）は、図４中のＢ−Ｂ線縦断面図であって、本発明の墓の納骨室を示す正面図であり、図１（ｂ）は、図４中のＡ−Ａ線縦断面図であり、同じく本発明の墓の納骨室を示す側面図であり、図２（ａ）は、骨壷載置台３を上面視した斜視図であり、図２（ｂ）は、同じく骨壷載置台３を底面視した斜視図であり、図３（ａ）（ｂ）は、骨壷載置台３の使用手順を示す簡略化した斜視図であり、図４は、本発明の墓の全体を示す斜視図である。
本発明の墓は、図４に示すように、上から順に、石柱１３、上台１４、中台１５、蓋石５、納骨堂１、根太石６が積み重なる構造をなしている。また納骨堂１の正面の側壁４ａには、略長方形状に刳り貫いた開口部７を有しており、この開口部７は、納骨堂１の内部の納骨室２と連通するとともに、開口部７を通じて納骨室２を墓の外部に開放、もしくは閉鎖するための両開きの開閉扉８ａ，８ｂが取り付けてある。また開閉扉８ａ，８ｂの両側位置には、帆立１６ａ，１６ｂがそれぞれ立ててあるとともに、各帆立１６ａ，１６ｂの上には庇１７が載せてあり、帆立１６ａ，１６ｂと庇１７は、蓋石５と根太石６とに上下に挟まれる状態で取り付けてある。
尚、符号１８は、線香・蝋燭立てであり、符号１９は、花立である。
【００１２】
次に、本発明の要部である納骨堂１および骨壷載置台３の構成について説明する。
納骨堂１は、納骨室２の四方（正面、右側面、左側面、背面）を略垂直に起立した側壁４ａ，４ｂ，４ｃ，４ｄで囲んで形成するものであり、納骨室２の天井は、蓋石５の下端面が担っており、さらに納骨室２の床面は、根太石６の上端面Ｙが担うことで、墓の正面（開口部）側から背面（納骨室２の奥Ｄ）側までの間が略一定幅の立方体状、もしくは直方体状の内部空間を形成している（図１および図２参照）。
【００１３】
骨壷載置台３は、図２（ａ）のように、骨壷１２を載せる棚部９と、棚部９の両端部から垂下する２本の脚部１０ａ，１０ｂと、棚部９と２本の脚部１０ａ、１０ｂにて囲まれた通路Ｒとからなっており、正面視すると、石板を上側と両側の三方に配した枠状に組むような態様をなすものである。棚部９と脚部１０ａ，１０ｂの突合せ面には、凸部２０もしくは凹部２１が設けてあり、さらに凸部２０と凹部２１との間に接着剤を塗布して各々を嵌合することで、棚部９と脚部１０ａ，１０ｂとをしっかりと接合している。棚部９は、平面視して略長方形の板状をなしており、棚部９の長手側の辺の長さは、納骨堂１の左右の側壁４ｃ，４ｄの内壁面Ｗａ，Ｗｂの間の間隔よりも僅かに短い長さに形成してある。一方、棚部９の短手側の辺の長さは、納骨室２の開口部７の側からの奥行きの寸法の約半分程度の長さに形成してある。一方、脚部１０ａ，１０ｂは、前述した棚部９の短手側の辺と略同一の長さ、および肉厚をそれぞれ有するものを適用しており、この脚部１０ａ，１０ｂの下端面には、図２（ｂ）のように、戸車（滑車）１１が取り付けてある。また脚部１０ａ，１０ｂの長さは、骨壷１２，１２ａの全高（高さ寸法）よりも長く形成してあり、骨壷１２，１２ａの全高（高さ寸法）については地域差があるが、具体的に約１５〜３５ｃｍのものがほとんどであるから、本実施による脚部１０ａ，１０ｂは、骨壷１２，１２ａが通路（領域）Ｒを通過できるように、余裕をもって約３６ｃｍの長さのものを適用している。また、骨壷載置台３の側面側の端面２２ａ，２２ｂ，２３ａ，２３ｂの上端部の４箇所には、水平回転するガイドローラー２６ａ，２６ｂ，２６ｃ，２６ｄが設けてあり、骨壷載置部３が側壁４ｃ，４ｄの内壁面Ｗａ，Ｗｂに接触したときに、ガイドローラー２６ａ，２６ｂ，２６ｃ，２６ｄが内壁面Ｗａ，Ｗｂへの骨壷載置台３の接触時の衝撃を和らげ、これにより、衝撃を受け流すように骨壷載置台３をスムーズに移動させられるようになる。
【００１４】
以上のように骨壷載置台３を形成すると、この骨壷載置台３が納骨室２を移動するときに、棚部９が納骨室２にて不意に水平回転しようとすれば、棚部９および脚部１０ａ，１０ｂの端面２２ａ，２２ｂ，２３ａ，２３ｂが、納骨室２の左右いずれか一方の側壁４ｃ，４ｄの内壁面Ｗａ、Ｗｂに軽く断続的に接触しようとする。これにより骨壷載置台３は、納骨室２の左右の側壁４ｃ，４ｄの内壁面Ｗａ，Ｗｂの案内により、棚部９を略一定の方向に向けたままで、納骨室２の開口部７側と奥Ｄ側との間を摺動自在に移動する。
尚、棚部９の上端面には、例えば、凹状をなす窪みや、背面側および側面側に柵を設けてもよい。この窪みに骨壷１２を置き、骨壷１２の底部を窪みにより保持したり、また柵により、棚部の側面側と背面側を囲んでおけば、例えば骨壷載置台３を動かしたときに、骨壷１２が不意に離脱することなく安定して棚部９の上に置かれることになる。また、棚部９は通常、本実施による板状のものを適用するものであるが、例えば、石のブロックを削り出し、棚部９と脚部１０ａ，１０ｂとを一体的に形成した骨壷載置台３を形成してもよい。さらに骨壷載置台３の手前側に、例えば、棚部の裏面側に凹状に窪んだ持手を設けたり、あるいは開口部７の側まで延長する紐やハンドルを取り付けておけば、納骨室２における骨壷載置台３の摺動が行ない易くなる。
【００１５】
次に、本発明の骨壷載置台３の使用手順を図３（ａ）（ｂ）に基づいて以下に説明する。
まず第１の手順として、図３（ａ）のように、遺族が骨壷１２を墓に納めるときに、納骨堂１の開閉扉８ａ，８ｂを開き、骨壷載置台３の棚部９の上に置いてある古い骨壷１２ａを降ろし、骨壷載置台３の２本の脚部１０ａ，１０ｂの間の通路（領域）Ｒを通過するように、根太石６の上端面Ｙに置く（もし古い骨壷１２ａが置いていない場合には、新しい骨壷１２をそのまま棚部９の上に置く手順を踏む）。
次に第２の手順として図３（ｂ）にように、骨壷載置台３の棚部９もしくは脚部１０ａ，１０ｂの手前側の適宜な端部を掴み、骨壷載置台３を納骨室２の開口部７の側に引き寄せる。このとき、前述した手順１にて根太石６の上端面Ｙに降ろした古い骨壷１２ａは、移動する骨壷載置台３の通路（領域）Ｒを通過するので、骨壷載置台３の納骨室２における移動を妨げることがない。
最後に第３の手順として、納骨室２の開口部７の側に引き寄せた骨壷載置台３の棚部９の上に骨壷１２を載せ、さらに、骨壷１２を載せた骨壷載置台３を押して納骨室２の奥Ｄの側に移動することにより、墓への骨壷１２の納骨が完了する。
【００１６】
図５（ａ）（ｂ）は、本発明の骨壷載置台３の他の実施形態を示すものである。
まず図５（ａ）のものは、棚部９の一方の側面側の端部のみに脚部１０ａを設け、さらに、脚部１０ａ，１０ｂの下端部に棚部９と上下に平行に配置した下駄石（脚部）２４を取り付けて、正面視して略コ字形に骨壷載置台３を形成したものである。このようにすると、棚部９の下端面、脚部１０ａ，１０ｂの側面側の内側端面、下駄石（脚部）２４の上端面により囲まれたスペース（領域）Ｒに、骨壷１２，１２ａを置くことができる。次に図５（ｂ）のものは、図５（ａ）の骨壷載置台３の棚部９の両方の側面側の端部にそれぞれ脚部１０ａ，１０ｂを設けて、骨壷１２，１２ａを置くスペース（領域）Ｒの四方を囲むように形成したものである。
図５（ａ）（ｂ）の骨壷載置台３では、どちらの場合でも既に納めてあった古い骨壷１２ａが下駄石２４の上端面２７に置かれるものであり、使用時には、古い骨壷１２ａは、骨壷載置台３と一緒に移動することになる。
【図面の簡単な説明】
【００１７】
【図１】（ａ）は、図４中のＢ−Ｂ線を縦断面して示す、納骨堂の内部および骨壷載置台の正面図であり、（ｂ）は、図４中のＡ−Ａ線を縦断面して示す、納骨堂の内部および骨壷載置台の側面図である。
【図２】（ａ）は、上方から見下ろして示す、骨壷載置台の斜視図であり、（ｂ）は、骨壷載置台を裏返して示す斜視図である。
【図３】（ａ）と（ｂ）は、本発明の墓における納骨の手順を示す一部を切欠した斜視図である。
【図４】本発明の墓の全体を示す斜視図である。
【図５】（ａ）と（ｂ）は、本発明の骨壷載置台の他の実施形態を示す斜視図である。
【符号の説明】
【００１８】
１  納骨堂
２  納骨室
３  骨壷載置台
４ａ，４ｂ，４ｃ，４ｄ  側壁
５  蓋石
６  根太石
７  開口部
８ａ，８ｂ  開閉扉
９  棚部
１０ａ，１０ｂ  脚部
１１  滑車
１２  骨壷
２１ａ，２１ｂ，２２ａ，２２ｂ，２３ａ，２３ｂ，２５ａ，２５ｂ  側面側端面
２４  下駄石（脚部）
２６ａ，２６ｂ，２６ｃ，２６ｄ  ガイドローラー
Ｄ  奥
Ｒ  通路、スペース（領域）
Ｙ  上端面
Ｗａ，Ｗｂ  内壁面
【図１】
2008223241.tif 000003
【図２】
2008223241.tif 000004
【図３】
2008223241.tif 000005
【図４】
2008223241.tif 000006
【図５】
2008223241.tif 000007